(57)【要約】【課題】肌を痛めずに、効率よく髭などの体毛を除去でき、手入れも簡単なシェーバーを提供する。【解決手段】シェーバー１０は、本体ケース１２と、駆動体３０と、前記本体ケース１２に対して着脱可能なカバー４０を備えている。前記本体ケースの上部には、開口部１６が形成されたベース１４が設けられる。前記本体ケース１２の内部には、駆動用のモータ２２と電源２４と図示しない伝達機構が設けられている。前記駆動体３０の表面には、砥石３４が設けられている。該砥石３４の間には、削りクズを排出するための溝３６が複数設けられている。前記カバー４０には、前記駆動体３０の砥石３４を覆う位置にメッシュ部４２が設けられている。前記メッシュ部４２の開口４４から内部に入った髭等は、前記モータ２２により往復駆動される駆動体３０の表面の砥石３４によって削り取られ、削りクズは、前記溝３６から排出される。【選択図】図１
2018000371.tif 000002
【特許請求の範囲】
【請求項１】
本体ケースと、
該本体ケースから露出しており、表面に削り部材が設けられた駆動体と、
前記本体ケース内部に設けられており、前記駆動体を、前記本体ケースに対して回転又は往復移動させる駆動手段と、
前記本体ケースに対して着脱可能であって、前記駆動体の削り部材の表面を覆うとともに、多数の網目ないし開口部からなるメッシュ部を有するカバーと、
を備えたことを特徴とするシェーバー。
【請求項２】
前記削り部材に、複数の溝を設けたことを特徴とする請求項１記載のシェーバー。
【請求項３】
前記駆動体が、前記本体ケースに対して着脱可能であることを特徴とする請求項１又は２記載のシェーバー。
【請求項４】
前記カバーのメッシュ部が、該カバーの本体に対して交換可能であることを特徴とする請求項１〜３のいずれか一項に記載のシェーバー。
【請求項５】
前記本体ケースに対して、回動可能な柄を設けたことを特徴とする請求項１〜４のいずれか一項に記載のシェーバー。
【請求項６】
前記柄に、前記本体ケース及びカバーを収納可能な空間を設けたことを特徴とする請求項５記載のシェーバー。
【発明の詳細な説明】
【技術分野】
【０００１】
本発明は、ヒゲ剃りなどのシェーバーに関し、更に具体的には、切断構造の改良に関するものである。
【背景技術】
【０００２】
電気シェーバーとしては、外刃と内刃によりヒゲなどの切断を行うものが広く知られている。前記内刃は、回転式や往復式があるが、いずれも、鋭利な刃先でヒゲなどを切断するものである。例えば、下記特許文献１には、固定支持される外刃と、外刃の内面に沿って回転駆動される内刃とを備えており、内刃は、回転駆動される内刃ホルダーと、基端が内刃ホルダーに組み付けられる複数個のブレードとを含み、ブレードの先端片縁に、ブレードの厚み方向へ凹む刃凹部と、刃凹部と交差する摺動面とによって、鋭角の切刃が形成してあることが開示されている。
【先行技術文献】
【特許文献】
【０００３】
【特許文献１】特開２００８−１８８０９８号公報
【発明の概要】
【発明が解決しようとする課題】
【０００４】
しかしながら、前記特許文献１に示すように、ブレードの切刃を鋭角にすると、切れ味は良好となるものの、肌を痛めやすくなったり、電源が不足して回転が弱まってくると髭等がひっかかりやすくなったりする。このような課題は、内刃と外刃で切断する構造を有するシェーバー全般に当てはまることである。
【０００５】
本発明は、以上のような点に着目したもので、肌を痛めずに、効率よく髭などの体毛を除去でき、手入れも簡単なシェーバーを提供することを、その目的とする。
【課題を解決するための手段】
【０００６】
本発明は、本体ケースと、該本体ケースから露出しており、表面に削り部材が設けられた駆動体と、前記本体ケース内部に設けられており、前記駆動体を、前記本体ケースに対して回転又は往復移動させる駆動手段と、前記本体ケースに対して着脱可能であって、前記駆動体の削り部材の表面を覆うとともに、多数の網目ないし開口部からなるメッシュ部を有するカバーと、を備えたことを特徴とする。
【０００７】
主要な形態の一つは、前記削り部材に、複数の溝を設けたことを特徴とする。他の形態の一つは、前記駆動体が、前記本体ケースに対して着脱可能であることを特徴とする。更に他の形態の一つは、前記カバーのメッシュ部が、該カバーの本体に対して交換可能であることを特徴とする。更に他の形態の一つは、前記本体ケースに対して、回動可能な柄を設けたことを特徴とする。更に他の形態の一つは、前記柄に、前記本体ケース及びカバーを収納可能な空間を設けたことを特徴とする。本発明の前記及び他の目的，特徴，利点は、以下の詳細な説明及び添付図面から明瞭になろう。
【発明の効果】
【０００８】
本発明によれば、本体ケースと、該本体ケースから露出しており、表面に削り部材が設けられた駆動体と、前記本体ケース内部に設けられており、前記駆動体を、前記本体ケースに対して回転又は往復移動させる駆動手段と、前記本体ケースに対して着脱可能であって、前記駆動体の削り部材の表面を覆うとともに、多数の網目ないし開口部からなるメッシュ部を有するカバーと、を備えることとした。このため、メッシュ部から内部に入った髭などを前記削り部で削り取るため、効率よく髭などの体毛を除去しつつ、鋭利な刃を用いないため肌を痛めることがないという効果がある。
【図面の簡単な説明】
【０００９】
【図１】本発明の実施例１を示す図であり、(A)は分解斜視図，(B)は使用時の側面図，(C)は前記(B)を上方から見た平面図である。
【図２】本発明の実施例２を示す図であり、(A)はカバーを取った状態を示す斜視図，(B)は使用時の側面図，(C)は前記(B)を上方から見た平面図である。
【図３】本発明の実施例３を示す図であり、(A)は分解斜視図，(B)は組み立て時の断面図である。
【図４】本発明の他の実施例を示す図であり、(A)〜(C)は実施例４を示す図，(D)は実施例５を示す図，(E)は他の実施例を示す図である。
【図５】本発明の実施例６を示す図であり、(A)は外観斜視図，(B-1)は正面図，(B-2)は側面図，(C-1)は変形例の正面図，(C-2)は変形例の側面図である。
【図６】本発明の他の実施例を示す図である。
【発明を実施するための形態】
【００１０】
以下、本発明を実施するための最良の形態を、実施例に基づいて詳細に説明する。
【実施例１】
【００１１】
最初に、図１を参照しながら本発明の実施例１を説明する。図１(A)は、本実施例のシェーバーの分解斜視図，図１(B)は前記シェーバーの使用時の側面図，図１(C)は前記(B)を上方から見た平面図である。図１(A)〜(C)に示すように、本実施例のシェーバー１０は、本体ケース１２と、表面にヤスリ状の砥石が設けられた駆動体３０と、前記本体ケース１２に対して着脱可能なカバー４０を備えている。前記本体ケース１２の上部には、中央に略長方形の開口部１６が形成されたベース１４が設けられている。
【００１２】
また、前記本体ケース１２の内側には、前記駆動体３０を図１(B)の矢印Ｆ１方向に往復移動させるためのモータ２２と、該モータ２２に電力を供給する電源２４が収納されている。電源２４としては、例えば乾電池や充電池が利用可能であるが、外部電源に接続する端子を設け、外部から電力を供給するようにしてもよい。また、前記本体ケース１２の側面には、前記モータ２２への電力のＯＮ／ＯＦＦを切り替えるためのスイッチ２６が設けられている。
【００１３】
前記モータ２２の図示しない出力軸は、前記本体ケース１２内に設けられた図示しない伝達機構を介して、前記開口部１６を貫通する駆動軸１８に接続されている。一方、前記駆動体３０は、本実施例では、円柱を断面略半円状に切断した形状となっており、内側には、前記駆動軸１８の先端に着脱可能に嵌合するための凹部３８が設けられている。そして、前記駆動軸１８の先端を前記駆動体３０の凹部３８に嵌合することで、前記モータ２２の回転が図示しない伝達機構によって往復運動に変換された上で伝達され、前記駆動軸１８を往復駆動させる。
【００１４】
前記駆動体３０は、外周面に砥石３４が設けられており、その表面はヤスリ状となっている。前記砥石３４としては、公知の各種のものを用いることができるが、例えば、セラミック製のものを用いることができる。そして、前記砥石３４には、所定の間隔で溝３６が形成されている。該溝３６は、削り取った髭などの削りクズを排出するためのものである。
【００１５】
前記カバー４０は、前記本体ケース１２に対して着脱可能であって、使用時には図示しないロック手段で本体ケース１２に対して固定される。前記カバー４０は、前記駆動体３０の砥石３４の表面を覆うとともに、多数の網目ないし開口部からなるメッシュ部４２を有している。
【００１６】
前記シェーバー１０を例えば顔面に当てると、髭が前記メッシュ部４２の開口４４から内側に入り込み、前記カバー４０の内側で往復運動する駆動体３０の表面の砥石３４で髭が削り取られる。削りクズは、図１(B)及び(C)に矢印Ｆａで示すように、前記砥石３４間に形成された溝３６に沿って前記ベース１４上に落下するため、削りクズが詰まることはない。また、前記カバー４０を本体ケース１２から外せば、前記ベース１４上に落下した削りクズをとることができ、簡単に清掃ができる。
【００１７】
このように、本実施例によれば、カバー４０の開口４４から入った髭等を、砥石３４で削り取ることとしたので、簡単な構成でありながら、効率よく体毛などを除去できるとともに、鋭利な刃で切断しないため肌にも優しい。また、従来の外刃と内刃を備えた構造ではないため、供給される電力が減っても、髭がひっかかることがない。更に、前記カバー４０を外すことで、削りクズを清掃でき、簡単な手入れで常に衛生的に保つことができる。
【実施例２】
【００１８】
次に、図２を参照しながら本発明の実施例２を説明する。なお、上述した実施例１と同一ないし対応する構成要素には、同一の符号を用いることとする（以下の実施例についても同様）。前記実施例１は、従来のシェーバーの内刃に相当する部材が、本体ケース１２に対して往復移動する構成としたが、本実施例は、前記内刃に相当する部材（駆動体）を回転するローラ状にした例である。図２(A)は本実施例のシェーバーのカバーを取った状態を示す斜視図，図２(B)は使用時の側面図，図２(C)は前記(B)を上方から見た平面図である。
【００１９】
本実施例のシェーバー５０は、本体ケース１２の上部に設けられたベース５２の両端に、一対の支持部５４Ａ，５４Ｂが設けられている。また、本実施例では、駆動体５６はロール状となっており、その外周面に、砥石６０が設けられている。該砥石６０の表面はヤスリ状となっている。前記砥石６０には、スパイラル状の溝６２が形成されている。該溝６２は、図２(B)及び(C)に矢印Ｆｂで示すように、前記砥石６０で除去された髭等の削りクズを排出するための通路である。
【００２０】
前記駆動体５６には軸５８が設けられており、該軸５８の両端が、前記ベース５２の支持部５４Ａ，５４Ｂにより、回転可能に支持されている。前記本体ケース１２内のモータ２２の回転は、図示しない公知の伝達機構を介して、前記駆動体５６の軸５８に伝達される。本実施例の基本的な作用・効果は、上述した実施例１と同様である。
【実施例３】
【００２１】
次に、図３を参照しながら本発明の実施例３を説明する。本実施例も、上述した実施例２と同様に、砥石を表面に有する駆動体が回転するものであるが、該駆動体の回転軸が、本体ケース１２の長手方向に設けられている例である。図３(A)は、本実施例の分解斜視図，図３(B)は、組み立て時の断面図である。本実施例のシェーバー１００は、本体ケース１０２と、表面に砥石が設けられた駆動体１２０Ａ又は１２０Ｂと、前記本体ケース１０２に対して着脱可能なカバー１３０により構成されている。前記本体ケース１０２の上部には、取付ベース１０４が設けられている。該取付ベース１０４の中央には、該取付ベース１０４を回転可能に貫通する凸部１０６が形成されており、該凸部１０６には、キー溝１０８が形成されている。
【００２２】
前記本体ケース１０２の内側には、前記駆動体１２０Ａ，１２０Ｂを図３(A)に矢印Ｆ３で示す方向に回転させるためのモータ１１０と、該モータ１１０に電力を供給する図示しない電源等が設けられている。また、本体ケース１０２の側面には、ＯＮ／ＯＦＦを切り替えるための図示しないスイッチが設けられている。前記モータ１１０の出力軸１１２は、前記凸部１０６に連結されている。
【００２３】
一方、前記駆動体１２０Ａ，１２０Ｂは、本実施例では、所定の厚みを有するディスク状であって、表面１２２Ａに、砥石１２４が設けられている。前記駆動体１２０Ａでは、略三角形（ないし扇状）の複数の砥石１２４が放射状に配置され、各砥石１２４間に溝１２６が形成されている。また、前記駆動体１２０Ａの裏面１２２Ｂには、凸部１２７と前記キー溝１０８と嵌合するキー１２８が設けられている。
【００２４】
前記駆動体１２０Ｂでは、前記砥石１２４は、平面渦巻き状に形成されており、渦巻きを構成するラインの間に前記溝１２６が形成されている。これら溝１２６は、髭等の削りクズを排出するためのものである。なお、前記駆動体１２０Ａ，１２０Ｂは、必要に応じて前記本体ケース１０２に対して付け替えて使用するようにしてもよいし、いずれか一方のみを使用してもよい。
【００２５】
前記駆動体１２０Ａ，１２０Ｂの裏面のキー１２８を、前記キー溝１０８に嵌合することで、前記モータ１１０の出力軸１１２の回転が、前記凸部１０６及びキー１２８を介して、前記駆動体１２０Ａ，１２０Ｂに伝達し、これら駆動体１２０Ａ，１２０Ｂを回転駆動させる。
【００２６】
前記カバー１３０は、前記本体ケース１０２に対して着脱可能であって、使用時には図示しないロック手段で本体ケース１０２に対して固定される。前記カバー１３０は、前記駆動体１２０Ａ，１２０Ｂの砥石１２４の表面を覆うとともに、多数の網目ないし開口部からなるメッシュ部１３２を有している。このような構成のシェーバー１００を、例えば顔面に当てると、髭が前記メッシュ部１３２の開口１３４から内側に入り込み、該カバー１３０の内側で回転駆動する駆動体１２０Ａ，１２０Ｂのヤスリ状の表面で髭等が削り取られる。
【００２７】
削りクズは、前記砥石１２４間に形成された溝１２６に沿って前記取付ベース１０４上に落下するため、削りクズが詰まることはない。また、前記カバー１３０を本体ケース１０２から外せば、前記取付ベース１０４上に落下した削りクズ４８をとることができ、簡単に清掃ができる。本実施例の基本的な作用・効果は上述した実施例１と同様であるが、本実施例では、駆動体１２０Ａ，１２０Ｂを本体ケース１０２に対して着脱可能、交換可能としたので、用途に応じて適切な砥石を使用することができる。また、駆動体１２０Ａ，１２０Ｂを本体ケース１０２から取り外すことで、駆動体１２０Ａ，１２０Ｂ自体を丸洗いすることができ、より衛生的に保つことができる。
【実施例４】
【００２８】
次に、図４(A)〜(C)を参照しながら、本発明の実施例４を説明する。本実施例は、シェーバー全体をペン型にした例である。図４(A)に示すシェーバー１５０Ａは、本体ケース１５２の内側に、駆動体であるローラ１６２Ａとモータ１５４を備えている。該モータ１５４には電源１５８から電力が供給される。また、前記モータ１５４の出力軸１５６は、前記ローラ１６２Ａの中心軸（図示せず）に接続されている。前記ローラ１６２Ａの先端は、略半球状となっており、その表面には、砥石１６６Ａが適宜間隔で形成されており、それらの間には溝１６８Ａが形成されている。該溝１６８Ａは、削りクズを排出するためのものである。前記ローラ１６２Ａを覆うカバー１７０Ａは、前記砥石１６６Ａを覆う部分にのみ多数の開口１７４からなるメッシュ部１７２Ａを有している。このようなペン型の形状のシェーバー１５０Ａは、先端部分を利用して、例えば、鼻毛カッター等として利用することができる。
【００２９】
図４(B)に示すシェーバー１５０Ｂは、ローラ１６２Ｂの先端が略三角錐状となっており、その表面に砥石１６６Ｂと溝１６８Ｂを設けた例である。前記ローラ１６２Ｂを覆うカバー１７０Ｂの先端も、前記ローラ１６２Ｂの先端形状にならい、略三角錐状となっている。そして、前記略三角錐状の先端部分に、メッシュ部１７２Ｂが形成されている。
【００３０】
図４(C)に示すシェーバー１５０Ｃは、ローラ１６２Ｃの外周面全体に砥石１６６Ｃが設けられており、該砥石１６６Ｃにスパイラル状の溝１６８Ｃが形成されている。また、本例では、前記ローラ１６２Ｃを覆うカバー１７０Ｃには、ほぼ全体にメッシュ部１７２Ｃが形成されている。本例のシェーバー１５０Ｃによれば、先端部分のみを使用してもよいし、筒状部分の外周面を利用して体毛を削り取るようにしてもよい。
【実施例５】
【００３１】
次に、図４(D)を参照して、本発明の実施例５を説明する。上述した実施例１〜４は、いずれも、使用時に一つの駆動体を用いる構成としたが、本実施例は、２つの駆動体を用いた例である。図４(D)に示すように、本実施例のシェーバー２００は、本体ケース２０２の上端側に設けられたベース２０４に、２つのローラ２１０Ａ，２１０Ｂが支持されている。前記ベース２０４の両端には、前記ローラ２１０Ａ，２１０Ｂの軸を支持する支持部２０６Ａ，２０６Ｂが設けられている。前記ローラ２１０Ａ，２１０Ｂの表面には、砥石２１４Ａ，２１４Ｂが設けられるとともに、スパイラル状の溝２１６Ａ，２１６Ｂが形成されている。
【００３２】
前記本体ケース２０２には、前記２つのローラ２１０Ａ，２１０Ｂの表面を覆うようにカバー２２０が着脱可能に設けられる。該カバー２２０には、前記ローラ２１０Ａ，２１０Ｂを覆う位置に、メッシュないし開口が設けられている。なお、図示の例では、前記ローラ２１０Ａ，２１０Ｂを回転させる構造としたが、上述した実施例１と同様に、往復駆動する構成としてもよい。また、前記実施例３の形態において、複数の回転体を同時に駆動する構成としてもよい。
【実施例６】
【００３３】
次に、図５を参照して、本発明の実施例６を説明する。上述した実施例では、いずれも本体カバーは動かないものであるが、本実施例は、本体カバーの下端部に、該本体カバーに対して回動な柄を設けた例であって、理容店で使用するレザーのような使い方ができるものである。図５(A)は、本実施例のシェーバー３００の外観斜視図，図５(B-1)は断面図，図５(B-2)は側面図である。図５(B-1)は、前記図５(B-2)を＃Ａ−＃Ａ線に沿って切断し矢印方向に見た断面図である。これらの図に示すように、本実施例のシェーバー３００は、本体ケース３０２と、該本体ケース３０２に回転可能に支持された２本のローラ３１２，３２０と、カバー３３０と、柄３４０により構成されている。また、前記２つのローラ３１２，３２０の軸３０８，３２２は、他端側でも支持部３１０により回転可能に支持されている。
【００３４】
前記ローラ３１２は、他方のローラ３２０よりも径が大きく、これら太さの異なるローラ３１２，３２０が平行に支持されている。前記ローラ３１２，３２０の表面には、それぞれ砥石３１６，３２４と削りクズ排出のための溝３１８，３２６が設けられている。前記本体ケース３０２には、前記ローラ３１２，３２０を覆うカバー３３０が着脱可能に設けられている。該カバー３３０は、側面全体がメッシュ部３３２となっており、多数の開口３２４を有している。
【００３５】
前記本体ケース３０２の他端（図示の例では右端側）には、該本体ケース３０２に対して回動可能な柄３４０が設けられている。該柄３４０は、端部に一対の支持部３４２Ａ，３４２Ｂを有しており、これら支持部３４２Ａ，３４２Ｂ間に前記本体ケース３０２の端部を挟み、軸３４４で回動可能に支持している。また、本実施例では、図５(A)に示すように、前記柄３４０は、一対の側面３４６Ａ，３４６Ｂの間に、前記本体ケース３０２及びカバー３３０を挟み込む溝３４８を有しており、シェーバー３００を使用しないときには、本体ケース３０２及びカバー３３０を前記柄の３４０の溝３４８に収納すればよい。
【００３６】
本実施例のシェーバー３００によれば、柄３４０が本体ケース３０２に対して回動可能であるため、シェーバー３００を理容店で使用するレザーと同様に使うことができる。その際、本実施例では、太さの異なるローラを２つ設けているため、髭等を剃る位置に応じて、ローラ３１２，３２０を使い分けることができる。
【００３７】
なお、上述した図５(A)，(B-1)及び(B-2)の例では、太さの異なるローラを２本設けることとしたが、これも一例であり、図５(C-1)及び(C-2)に示すシェーバー３００Ａのように、ローラを１本設けるようにしてもよい。本例では、本体ケース３０２Ａはローラ３２０が設けられている部分のみ開口しており、その開口部を覆うように、カバー３３０Ａが設けられている。むろん、図示の例も一例であり、太いローラを１本設けるようにしてもよいし、付け替え可能な構造としてもよい。
【００３８】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。例えば、前記実施例１では、シェーバー１０の本体ケース１２を太いものとしたが、図４(E)に示すシェーバー２５０のように、本体ケース２５２をヘッド部２５４と柄２５６からなるＴ型としてもよい。そして、前記ヘッド部２５４に往復運動ないし回転する駆動体２７０を設け、該駆動体２７０の表面の砥石２７４を覆うようにメッシュ部２８２を有するカバー２８０を設ける構造とするなどである。
(2)前記実施例では、主に男性用の髭剃りを例に挙げて説明したが、女性のうぶ毛取りに用いてもよいし、上述した実施例４のように鼻毛カッター等として利用してもよい。むろん、他の体毛の除去に使用することを妨げるものではない。
【００３９】
(3)前記実施例６では、本体カバーに対して回動可能な柄を設ける構造としたが、他の実施例についても同様に適用可能である。例えば、図６(A)及び(B)は、前記図４(C)に示したシェーバー１５０Ｃの変形例である。同図に示すように、前記本体カバー１５２の下端部に延長部１８０を設け、該延長部１８０と柄１８２を軸１８４で回動可能に支持してもよい。そして、図６(B)に示すように、前記柄１８２の部分を折り曲げて、理容室等で使用するレザーのような形態とすることもできる。むろん、前記柄１８２を１８０度折り曲げ可能として、該柄１８２と本体ケース１５２を平行に折り畳んで収納するようにしてもよい。
【００４０】
(4)前記実施例で示した砥石に設けた溝も一例であり、溝の方向，形状，太さ，間隔等は一例であり、同様の効果を奏する範囲内で適宜変更してよい。また、溝は、直線状のみならず曲線状に設けてもよい。
(5)駆動体に設ける砥石の素材も一例であり、セラミック，金属，石，ダイヤモンド等の公知の各種の素材を利用してもよい。また、ペーパーのやすりを利用してもよい。
(6)前記実施例で示した駆動体の動きも一例であり、上下左右に首振り運動するものであってもよいし、回転と組み合わせたものであってもよい。また、回転も、一方向のみでなく、逆転可能な構成としてもよい。
【００４１】
(7)前記駆動体は、用途に応じて、やすりの目の異なるものを複数用意し、付け替えて利用するようにしてもよい。
(8)前記実施例で示したカバーも一例であり、カバーの外刃部分（メッシュ部分）を交換可能な構成としてもよい。
(9)前記実施例では、カバーを外し、更に必要に応じて駆動体を取り外して清掃することとしたが、これに加えて、駆動体をアルコール消毒してもよい。
(10)前記実施例では、シェーバーのみの利用で体毛を除去することとしたが、これも一例であり、肌を水，洗剤，クリームあるいはジェル等でぬらした状態で使用することにより、肌の汚れや毛穴の汚れも同時におとすようにしてもよい。
【産業上の利用可能性】
【００４２】
本発明によれば、本体ケースと、該本体ケースから露出しており、表面に削り部材が設けられた駆動体と、前記本体ケース内部に設けられており、前記駆動体を、前記本体ケースに対して回転又は往復移動させる駆動手段と、前記本体ケースに対して着脱可能であって、前記駆動体の削り部材の表面を覆うとともに、多数の網目ないし開口部からなるメッシュ部を有するカバーと、を備えることとした。このため、メッシュ部から内部に入った髭などを前記削り部で削り取るため、効率よく髭などの体毛を除去しつつ、鋭利な刃を用いないため肌を痛めることがないため、シェーバーの用途に適用できる。特に、髭剃り用のシェーバーの用途に好適である。
【符号の説明】
【００４３】
１０：シェーバー
１２：本体ケース
１４：ベース
１６：開口部
１８：駆動軸
２２：モータ
２４：電源
２６：スイッチ
３０：駆動体
３２：ベース
３４：砥石
３６：溝
３８：凹部
４０：カバー
４２：メッシュ部
４４：開口
５０：シェーバー
５２：ベース
５４Ａ，５４Ｂ：支持部
５６：駆動体
５８：軸
６０：砥石
６２：溝
１００：シェーバー
１０２：本体ケース
１０４：取付ベース
１０６：凸部
１０８：キー溝
１１０：モータ
１１２：出力軸
１２０Ａ，１２０Ｂ：駆動体
１２２Ａ：表面
１２２Ｂ：裏面
１２４：砥石
１２６：溝
１２７：凸部
１２８：キー
１３０：カバー
１３２：メッシュ部
１３４：開口
１５０Ａ，１５０Ｂ，１５０Ｃ：シェーバー
１５２：本体ケース
１５４：モータ
１５６：出力軸
１５８：電池
１６０：スイッチ
１６２Ａ，１６２Ｂ，１６２Ｃ：ローラ
１６６Ａ，１６６Ｂ，１６６Ｃ：砥石
１６８Ａ，１６８Ｂ，１６８Ｃ：溝
１７０Ａ，１７０Ｂ，１７０Ｃ：カバー
１７２Ａ〜１７２Ｃ：メッシュ部
１７４：開口
１８０：延長部
１８２：柄
１８４：軸
２００：シェーバー
２０２：本体ケース
２０４：ベース
２０６Ａ，２０６Ｂ：支持部
２１０Ａ，２１０Ｂ：ローラ
２１２Ａ，２１２Ｂ：軸
２１４Ａ，２１４Ｂ：砥石
２１６Ａ，２１６Ｂ：溝
２２０：カバー
２２２：メッシュ部
２２４：開口
２５０：シェーバー
２５２：本体ケース
２５４：ヘッド部
２５６：柄
２７０：駆動体
２７２：砥石
２７４：溝
２８０：カバー
２８２：メッシュ部
３００，３００Ａ：シェーバー
３０２，３０２Ａ：本体ケース
３０４：駆動部（モータ・電源）
３０６：スイッチ
３０８，３１０：支持部
３１２，３２０：ローラ
３１４，３２２：軸
３１６，３２４：砥石
３１８，３２６：溝
３３０，３３０Ａ：カバー
３３２：メッシュ部
３３４：開口
３４０：柄
３４２Ａ，３４２Ｂ：支持部
３４４：軸
３４６Ａ，３４６Ｂ：側面
３４８：溝
【図１】
2018000371.tif 000003
【図２】
2018000371.tif 000004
【図３】
2018000371.tif 000005
【図４】
2018000371.tif 000006
【図５】
2018000371.tif 000007
【図６】
2018000371.tif 000008